(57)【特許請求の範囲】
【請求項１】
外郭部材の内部に燃焼装置と送風機が内蔵され、外郭部材に形成された温風吹出口から温風を放出する温風暖房装置において、
外郭部材の背面上側に開口を有する取手用の凹部が設けられ、当該凹部には内部に仕切り壁が設けられており、
前記仕切り壁は、外郭部材を上面視したとき外部から視認可能、及び／又は外郭部材を背面視したとき外部から視認可能であって、
外郭部材は、天面部の背面側の部分に背面に向かって傾斜する傾斜部が設けられており、当該傾斜部に前記凹部の開口が形成され、
前記凹部の開口の縁部分の内で最も外郭部材の正面側よりの部分である前端縁部と、前記凹部の開口の縁部分の内で最も外郭部材の背面側よりの部分である後端縁部との間に前記仕切り壁の一部が配されており、
仕切り壁の前端縁部と後端縁部の間に位置する部分には、傾斜部の傾斜方向に沿って傾斜する傾斜面が形成され、当該傾斜面は前記凹部の開口より外郭部材の内側に位置していることを特徴とする温風暖房装置。
【請求項２】
外郭部材は、前面部と背面部と天面部と左右側面部と底面部とを有し、前記凹部は背面部又は天面部と一体に成形されており、前記凹部が形成された部材と前面部の一部または全部を構成する前面構成部材とは別の部材であり、締結要素によって前記凹部の外側が前面構成部材に接合されていることを特徴とする請求項１に記載の温風暖房装置。
【請求項３】
前記凹部が形成された部材は、樹脂で形成されていることを特徴とする請求項１又は２に記載の温風暖房装置。
【発明の詳細な説明】
【技術分野】
【０００１】
本発明は、室内に設置される温風暖房装置に関するものであり、特に一般家庭で使用される床置き型の温風暖房装置に関するものである。
【背景技術】
【０００２】
屋内で使用する手軽な暖房器具として、ガスファンヒータや石油ファンヒータ等の温風暖房装置が広く使用されている。特に床置き型の温風暖房装置は、使用者が自由に持ち運ぶことができ、台所や居間等の必要な場所に設置できるため、使い勝手がよい。
【０００３】
このような温風暖房装置には、多くの場合、使用者が持ち運び易いように取手が設けられている。例えば、温風発生手段を収容するハウジングの横方向両側面に外方に張り出す耳部を設け、当該耳部に取手部を凹設した温風暖房装置が特許文献１に開示されている。特許文献１の温風暖房装置では、外方に張り出す耳部に取手部を形成するため、取手部がハウジングの内蔵品との干渉による凹部深さの制限を受けない。このことにより、使用者が指を深く差し込むことができる凹部深さの深い取手部を形成可能となり、この取手部によって指先の力の弱い人であっても温風暖房装置を容易に運搬可能となる。
【先行技術文献】
【特許文献】
【０００４】
【特許文献１】特開２００９−１２７８８７号公報
【発明の概要】
【発明が解決しようとする課題】
【０００５】
しかしながら、特許文献１に開示されたハウジングを採用した温風暖房装置では、横方向両側面にそれぞれ取手部を設けた構造であるため、使用者は必然的に温風暖房装置を両手で運搬することとなる。そのため、使用者が温風暖房装置を片手で持ち上げることのできる力の強い人であっても、両手持ちせねばならず、場合によってはかえって使い勝手が悪くなる場合があった。
【０００６】
そこで、温風暖房装置に片手持ち用の取手と両手持ち用の取手の両方を設ける構造が考えられる。しかし、このように多くの取手を形成してしまうと製造コストが増加してしまうという問題あった。さらに、多くの取手を設けることで意匠性が低下してしまうという問題があった。
【０００７】
そこで本発明は、上記した従来技術の問題に鑑み、使用者の指先の力の有無に関わらず運搬が容易であり、安価に製造可能であって、高い意匠性を備えた温風暖房装置を提供することを目的とする。
【課題を解決するための手段】
【０００８】
上記課題を解決するための請求項１に記載の発明は、外郭部材の内部に燃焼装置と送風機が内蔵され、外郭部材に形成された温風吹出口から温風を放出する温風暖房装置において、外郭部材の背面上側に開口を有する取手用の凹部が設けられ、当該凹部には内部に仕切り壁が設けられており、前記仕切り壁は、外郭部材を上面視したとき外部から視認可能、及び／又は外郭部材を背面視したとき外部から視認可能であって、外郭部材は、天面部の背面側の部分に背面に向かって傾斜する傾斜部が設けられており、当該傾斜部に前記凹部の開口が形成され、前記凹部の開口の縁部分の内で最も外郭部材の正面側よりの部分である前端縁部と、前記凹部の開口の縁部分の内で最も外郭部材の背面側よりの部分である後端縁部との間に前記仕切り壁の一部が配されており、仕切り壁の前端縁部と後端縁部の間に位置する部分には、傾斜部の傾斜方向に沿って傾斜する傾斜面が形成され、当該傾斜面は前記凹部の開口より外郭部材の内側に位置していることを特徴とする温風暖房装置である。
【０００９】
本発明の温風暖房装置では、燃焼装置や送風機を内蔵する外郭部材の背面の上方部分に開口を有する取手用の凹部が設けられている。そして、内部に設けられた仕切り壁によって取手用の凹部が２つ以上の空間に分割されている。このような構成によると、一つの取手を片手持ち用と両手持ち用の両方に使用できるため、温風暖房装置に多くの取手用の凹部を設けなくても、片手持ちでの運搬と両手持ちでの運搬のいずれも可能となる。このことにより、使用者が力の強い人であったり、短い距離を運搬したりする場合には片手持ちでの運搬を行い、使用者が力の弱い人であったり、長い距離を運搬したりする場合には両手持ちでの運搬を行うといったさまざまな状況に応じた運搬が可能となる。つまり、多数の凹部を設けることのない簡便な構造で、多様な状況に対応した運搬を実施可能となる。
また本発明の温風暖房装置は、内部に仕切り壁を有しているため、樹脂等の可撓性を有する原料で取手用の凹部を形成した場合であっても、取手用の凹部の剛性を高くすることができる。具体的に説明すると、樹脂等で取手用の凹部を形成した場合、使用者が取手用の凹部に手を挿入して温風暖房装置を持ち上げると、温風暖房装置の自重によって取手用の凹部の上面等に下方に向かう力が働く。このとき、取手用の凹部に仕切り壁がない場合であれば凹部の内部空間が撓んで広がってしまうおそれがある。しかしながら、取手用の凹部の内部に内部空間を分割する仕切り壁が形成されていると、仕切り壁が取手用の凹部の撓みを低減するため、取手用の凹部の剛性が高くなる。
【００１０】
本発明によると、取手用の凹部に設けられた仕切り壁の位置を外部から視認することができる。そのため、使用者が取手用の凹部に不用意に手を入れて仕切り壁に手をぶつけてしまうということがない。また、仕切り壁によって分割された各空間、即ち、取手用の凹部を構成する各空間の位置や大きさ等を使用者が外部から視認できる。そのため、使用者は、温風暖房装置を持ち上げ易い適切な位置に確実に手を入れることが可能となり、温風暖房装置の運搬を容易に行うことができる。
【００１１】
本発明の温風暖房装置は、外郭部材の天面部の背面側の部分に背面に向かって傾斜する傾斜部が設けられており、当該傾斜部に前記凹部の開口が形成されているため、使用者は温風暖房装置の傍に立っている状態で凹部の開口の位置を認識し易く、手を凹部に差し入れ易い。
具体的に説明すると、直方体状の外郭部材の背面、即ち、天面に略直交する背面に凹部の開口を設けた場合、使用者が温風暖房装置の傍に立った状態で温風暖房装置を見ると、見る方向によっては凹部の開口が見えない場合がある。このとき、使用者は背面側に回りこんで凹部の開口を視認してから手を凹部に差し入れる必要がある。
また、直方体状の外郭部材の天面に凹部の開口を設けた場合、使用者が温風暖房装置の傍に立った状態において開口の位置を容易に視認できるものの、凹部に手を差し入れた後で指を大きく曲げて温風暖房装置を持ち上げねばならず、背面に凹部の開口を設けた場合に比べて温風暖房装置を持ち上げ難い。
これらに対して、傾斜部に凹部の開口を形成すると、使用者は温風暖房装置の傍に立っている状態で凹部の開口の位置を認識し易く、手を凹部に差し入れ易い。
【００１２】
さらに本発明の温風暖房装置では、傾斜部に形成された凹部の開口の縁部分の内で最も外郭部材の正面側よりの部分である前端縁部と、前記凹部の開口の縁部分の内で最も外郭部材の背面側よりの部分である後端縁部との間に仕切り壁の一部が配されている。そのため、仕切り壁が外部から視認し易い。
加えて、仕切り壁の前端縁部と後端縁部の間に位置する部分に、傾斜部の傾斜方向に沿って傾斜する傾斜面が形成されている。そのため、指の間に仕切り壁が位置するように凹部に片手を挿入したとき、仕切り壁が手の挿入を阻害せず、手を凹部に深く挿入することができる。
つまり、外部から視認し易い位置、即ち、仕切り壁を凹部の開口に近い位置に配した場合であっても、仕切り壁が手の挿入を阻害せず、手を凹部に深く挿入することができる。
そして本発明の温風暖房装置では、仕切り壁部の傾斜面が前記凹部の開口より外郭部材の内側に位置している。このことにより、仕切り壁部が開口から外部に突出しないので、温風暖房装置の設置時に邪魔になることがない。
【００１３】
請求項２に記載の発明は、外郭部材は、前面部と背面部と天面部と左右側面部と底面部とを有し、前記凹部は背面部又は天面部と一体に成形されており、前記凹部が形成された部材と前面部の一部または全部を構成する前面構成部材とは別の部材であり、締結要素によって前記凹部の外側が前面構成部材に接合されていることを特徴とする請求項１に記載の温風暖房装置である。
【００１４】
本発明の温風暖房装置では、背面部又は天面部と一体に成形された取手用の凹部が、別の部材である前面構成部材と締結要素で接合されている。そのため、使用者の手などから取手用の凹部に加わる力を取手用の凹部だけでなく、取手用の凹部と前面構成部材に分散して受けることができるため、温風暖房装置の強度を高めることができる。
なお、ここで締結要素とは、ネジ、クギ、ピン、鋲、クリップ等の上位概念である。
【００１５】
請求項３に記載の発明は、前記凹部が形成された部材は、樹脂で形成されていることを特徴とする請求項１又は２に記載の温風暖房装置である。
【００１６】
かかる構成によると、取手用の凹部が複雑な形状であっても十分な強度を有する外郭部材を安価に製造可能となり、製造コストを低減できる。
【発明の効果】
【００１７】
本発明は、外郭部材の背面の上方部分に開口を有する取手用の凹部が設けられ、取手用の凹部が内部に設けられた仕切り壁によって２つ以上の空間に分割されている。そのため、一つの取手を片手持ち用と両手持ち用の両方に使用できるという効果がある。このことにより、多くの取手を設けずとも様々な状況に対応した運搬が可能となり、運搬が容易であり高い意匠性を備えた温風暖房装置を安価に提供することができる。
【図面の簡単な説明】
【００１８】
【図１】本発明の実施形態にかかる温風暖房装置を示す斜視図である。
【図２】図１の温風暖房装置の筺体の分解斜視図である。
【図３】図２の筺体の本体部を示す斜視図である。
【図４】図２の筺体の本体部を図３とは異なる方向からみた斜視図である。
【図５】図２の筺体の本体部に形成された取手部の外形を示す斜視図である。
【図６】図５の取手部を異なる方向からみた斜視図である。
【図７】図５の取手部の上面図である。
【図８】図５のＡ−Ａ断面図である。
【図９】図５のＢ−Ｂ断面図である。
【図１０】図２の筺体の本体部を示す背面図である。
【図１１】図２の筺体の本体部を示す上面図である。
【図１２】図２の筺体の本体部に底板部を取り付ける状態を示す斜視図である。
【図１３】図１２の筺体の本体部に裏板部材と天板部を取り付けた状態を示す斜視図である。
【図１４】図１３の筺体の本体部及び天板部に前板部材を取り付ける様子を示す斜視図である。
【図１５】図１４のＡ−Ａ断面図である。
【図１６】図５とは異なる形態の温風暖房装置の筺体に形成する取手部を示す斜視図である。
【発明を実施するための形態】
【００１９】
以下さらに本発明の実施形態について説明する。なお、以下の説明において、上下の関係は、温風暖房装置を床面に設置した状態の姿勢を基準として説明している。
【００２０】
本実施形態の温風暖房装置１は、図１で示されるように、筺体２（外郭部材）内に燃焼装置や送風機を含む温風発生手段８が内蔵されたものである。
【００２１】
筺体２は、図２で示されるように、外郭枠部３と、前板部材４（前面構成部材）と、裏板部材５と、前面外装形成部６によって構成され、筺体２の背面にはフィルター７が取り付けられている。
【００２２】
外郭枠部３は、安価で成形加工が容易な樹脂によって形成されるものであり、射出成形等の適宜な成形方法によって成形されている。そして、外郭枠部３は、それぞれ独立した本体部１０、天板部１１（天面部）、底板部１２から形成されている。
【００２３】
本体部１０は、ＡＢＳ樹脂等の樹脂で形成されるものであり、図３，４で示されるように、２つの板状の側壁形成部２０，２１（左右側面部）と、２つの側壁形成部２０，２１の間に位置してこれらと略直角に連続する板状の背面形成部２２（背面部）と、２つの側壁形成部２０，２１の上端の一部及び背面形成部２２の上端と連続する天面形成部２３（天面部）から形成されている。
【００２４】
２つの側壁形成部２０，２１は、それぞれ長方形板状の前方板部２０ａ，２１ａと、台形板状の後方板部２０ｂ，２１ｂから形成されている。２つの前方板部２０ａ，２１ａは略平行に対向配置されており、いずれも後方側端部で２つの台形板状の後方板部２０ｂ，２１ｂとそれぞれ連続している。
このとき、２つの台形板状の後方板部２０ｂ，２１ｂは、前方の端部でそれぞれ前方板部２０ａ，２１ａと連続しており、後方の端部でそれぞれ背面形成部２２と連続している。そして、２つの台形板状の後方板部２０ｂ，２１ｂは、上端部分の高さが背面形成部２２に近づくにつれて低くなっている。つまり、したがって、台形板状の後方板部２０ｂ，２１ｂの上端面は背面形成部２２に向かって下り勾配になっている。
【００２５】
背面形成部２２は、図３，４で示されるように、本体部１０（筺体２）の背面を形成する長方形板状の部分である。背面形成部２２の内側面及び外側面の大部分に亘って、背面形成部２２を厚さ方向に貫通する断面四角形状の吸気用貫通孔２５が形成されている。ここで、背面形成部２２の内側面に注目すると、図３で示されるように、吸気用貫通孔２５を取り囲むように突出壁部２６が設けられている。この突出壁部２６は、背面形成部２２の内側面から前方に向かって略垂直に突出した壁状の部分である。そして突出壁部２６は、吸気用貫通孔２５の縁部分に沿って略ロ字状に延びており、さらに詳細には、断面形状が略長方形で延びている。そして、この突出壁部２６にフィルター７（図２参照）を取り付けるためのフィルター設置領域２７が形成されている。
【００２６】
天面形成部２３は、図４で示されるように、筺体２の天面の一部を形成する外形が略台形板状の部分である。そして天面形成部２３は、側壁形成部２０，２１の一部である後方板部２０ｂ，２１ｂの上端と、背面形成部２２の上端と連続している。また、この天面形成部２３は、最上面部２３ａと傾斜部２３ｂから形成されている。
最上面部２３ａは、天面形成部２３の背面形成部２２と連続している端部と対向する位置にある端部に形成される略長方形板状の部分である。この最上面部２３ａの上端面及び下端面は筺体２を床面に配したときに床面に対して略平行となる。なお、最上面部２３ａは天面形成部２３の最も高い位置に設けられている。
傾斜部２３ｂは、最上面部２３ａ及び背面形成部２２に対して傾斜しており、背面形成部２２に近づくほどに低くなる下り勾配となっている。そして、この傾斜方向の両端に位置する端部の内、上方の端部で最上面部２３ａと連続し、下方の端部で背面形成部２２と連続している。
ここで、傾斜部２３ｂにはその略幅方向の中心部分であって最上面部２３ａよりの部分に、温風暖房装置１の持ち運びに使用する取手部３５（取手用の凹部）が設けられている。
【００２７】
本実施形態の特徴的な構成たる取手部３５について詳細に説明する。
取手部３５は、図３，４で示されるように、傾斜部２３ｂと一体に形成され、本体部１０（筺体２）の外側から内側へ向かって延びる窪みである。換言すると、取手部３５は傾斜部２３ｂに凹設されて前方へ凹んでおり、前方へ凹んだ部分の内側に使用者が手を挿入するための内部空間３７が形成されている。そして、傾斜部２３ｂに形成された開口３６によって内部空間３７と外部とが連続している。
【００２８】
さらに具体的には、図５，６で示されるように、取手部３５は開口３６によって側方の一部が開放された水平方向の断面が略凹字状の箱体であり、上板部３８、下板部３９、２つの外側横壁部４０、２つの内側横壁部４１、２つの前板部４２、中間前板部４３（図６参照）を少なくとも備えて形成されている。このとき、これらの上板部３８、下板部３９、２つの外側横壁部４０、２つの内側横壁部４１、２つの前板部４２、中間前板部４３の互いに連続している部分は、丸みを帯びてなだらかに連続している。
【００２９】
上板部３８と下板部３９は、図５で示されるように、取手部３５の上方端と下方端にそれぞれ位置しており、いずれも略凹字板状となっている。ここで、上板部３８は下板部３９と隙間（内部空間３７）を介して重なるように配されている。このとき、上板部３８の前後方向の長さは、下板部３９の前後方向の長さより短くなっている。なお、上板部３８及び下板部３９の長さとは、取手部３５の延び方向における長さである。
加えて、下板部３９の前方端部（取手部３５の延び方向の先端側の端部であり前板部４２側に位置する端部）と上板部３８の前方端部は、取手部３５の前後方向（取手部３５の延び方向）において同じ位置にある。したがって、図７で示されるように、下板部３９の一部は取手部３５の延び方向基端部分で上方に露出した状態となっている。換言すると、取手部３５を上方からみたときに下板部３９の一部が視認可能な状態に配されている。
また上板部３８は、図８で示されるように、開口３６が配されている取手部３５の延び方向基端側から延び方向先端側へ向かって、下方に傾斜している。そして、下板部３９は取手部３５の延び方向基端側から延び方向先端側へ向かって、上方に傾斜している。即ち、上板部３８と下板部３９は取手部３５の延び方向基端側から延び方向先端側へ向かって互いに近づいていく。
【００３０】
外側横壁部４０は、図５乃至図７で示されるように、取手部３５の幅方向両端部分にそれぞれ設けられており、いずれも上方端で上板部３８と、下方端で下板部３９と略垂直に交わっている。このとき、外側横壁部４０と上板部３８及び下板部３９とは、上記したように、丸みを帯びてなだらかに連続している。そして、図７で示されるように、２つの外側横壁部４０は、開口３６が配されている取手部３５の延び方向基端側から延び方向先端側へ向かって、互いに近づいていく。つまり、２つの外側横壁部４０はいずれも前方に向かうにつれて幅方向の中央側へ向かって傾斜している。従って、取手部３５の幅は延び方向先端側へ向かって狭まっていく。
【００３１】
内側横壁部４１は、図５乃至図７で示されるように、取手部３５の幅方向中央部分に互いに対向するように設けられており、それぞれ上方端と下方端で上板部３８及び下板部３９と略垂直に交わっている。このとき、内側横壁部４１と上板部３８及び下板部３９とは、上記したように、丸みを帯びてなだらか連続している。また、図７で示されるように、２つの内側横壁部４１は、開口３６が配されている取手部３５の延び方向基端側から延び方向先端側へ向かって、互いに離れていく。つまり、２つの内側横壁部４１はいずれも前方に向かうにつれて幅方向の中央側から外側へ向かって傾斜している。このことから、２つの内側横壁部４１の間に形成される隙間４５は、取手部３５の延び方向先端側へ向うにつれて広がっていく隙間となる。
【００３２】
前板部４２は、図６で示されるように、取手部３５の延び方向先端部分に位置しており、外側へ向かって丸みを帯びて凸となるよう湾曲している。そしてこの凸となった部分の突出方向は、取手部３５の延び方向に沿う方向となっている。また前板部４２は、上板部３８、下板部３９、外側横壁部４０、内側横壁部４１と略垂直に交わっている。このとき、上記したように、前板部４２と、上板部３８、下板部３９、外側横壁部４０、内側横壁部４１は丸みを帯びてなだらかに連続している。
また前板部４２の外側面には、幅方向及び高さ方向の中心部分近傍に前面係合部４７が形成されている。前面係合部４７は、略円筒状の係合部本体４７ａと、係合部本体４７ａの外周部分と上下端及び左右端で連続する４つのリブ部４７ｂと、２つのリブ部４７ｂと連続して前面係合部４７の剛性を高めるリブ補強部４７ｃから形成されている。このとき、係合部本体４７ａの中心部分にはネジ穴４７ｄが設けられている。このネジ穴４７ｄは取手部３５の延び方向先端側から延び方向基端側へ延びている。
【００３３】
中間前板部４３は、図６で示されるように、対向する２つの内側横壁部４１の間に位置している。そして上板部３８、下板部３９、２つの内側横壁部４１と連続しており、上板部３８及び下板部３９とは丸みを帯びてなだらかに連続している（図示せず）。なおこの中間前板部４３は、取手部３５の延び方向先端側から延び方向基端側に向かって下方に傾斜している（図示せず）。
【００３４】
ここで、取手部３５の開口３６について説明すると、図４で示されるように、開口３６の開口面は傾斜部２３ｂの外側面と同一の面を形成している。そして、開口３６は略台形状となっている。即ち、開口３６の縁部分の内で高さ方向の上端であって前後方向の前端に位置する前上端縁部５０（前端縁部）は、開口３６の縁部分の内で高さ方向の下端であって前後方向の後端に位置する後下端縁部５１（後端縁部）に比べて、本体部１０の幅方向の長さが短くなっている。
【００３５】
そして取手部３５の内部空間３７に注目すると、図９で示されるように、取手部３５の幅方向の中央部分に仕切り壁部５５（仕切り壁）が設けられている。仕切り壁部５５は取手部３５の延び方向に沿って延設されている。このとき、仕切り壁部５５は取手部３５の延び方向の基端側端部より僅かに先端側端部よりの位置から先端側端部へ向かって延びている。換言すると、仕切り壁部５５は、取手部３５の背面側端部よりやや前方の位置からさらに前方に向かって延びている。
このとき、図９，１０で示されるように仕切り壁部５５は奥側に延びるにつれて幅が厚くなっている。つまり、図９で示されるように、仕切り壁部５５の２つの側面５５ａは、前方側に向かうにつれて互いに離れていくように形成されている。換言すると、仕切り壁部５５の２つの側面５５ａは、いずれも仕切り壁部５５の延び方向の先端に進むに従って幅方向の外側へ向かう傾斜面となっている。そして、図９で示されるように、仕切り壁部５５の側面５５ａと、内側横壁部４１の内側面４１ａは同一面を形成している。
そして、図９で示されるように、仕切り壁部５５と、２つの内側横壁部４１と、２つの内側横壁部４１の間に形成される隙間４５とによって、内部空間３７の大部分が２つの小空間５８に分割されている。この２つの小空間５８は、取手部３５の幅方向において並列に配された状態となっている。
【００３６】
ここで、小空間５８は、図５で示されるように、上板部３８、下板部３９、外側横壁部４０、内側横壁部４１、前板部４２、仕切り壁部５５によって囲まれた、水平方向の断面が略台形状の空間となっている。
そして、上記したように、上板部３８と下板部３９は、取手部３５の延び方向基端側から延び方向先端側へ向かって互いに近づいていく。そしてまた、対向する外側横壁部４０と内側横壁部４１も取手部３５の延び方向基端側から延び方向先端側へ向かって互いに近づいていく。このことから、２つの小空間５８はいずれも奥狭まりの空間となっている。
なお、外側横壁部４０と内側横壁部４１について具体的に説明すると、上記したように外側横壁部４０は、取手部３５の延び方向基端側から延び方向先端側へ向かうにつれて幅方向の中央側に向かって傾斜している。そして、内側横壁部４１は、取手部３５の延び方向基端側から延び方向先端側へ向かうにつれて幅方向の内側から外側に向かって傾斜している。したがって、対向する位置にあり同一の小空間５８を形成する外側横壁部４０と内側横壁部４１は、取手部３５の延び方向基端側から延び方向先端側へ向かって互いに近づいていく。
【００３７】
また、図８で示されるように、仕切り壁部５５の延び方向の基端部分、即ち、仕切り壁部５５の開口３６側に位置する後方端部には、その上端面に傾斜面６０が設けられている。傾斜面６０は開口３６の開口面と略平行となっており、開口３６の開口面の斜め前下方に位置している。ところで、上述のように開口３６の開口面は本体部１０の傾斜部２３ｂと同一面となる（図４参照）。したがって、仕切り壁部５５の傾斜面６０は、傾斜部２３ｂに沿って傾斜しており、傾斜部２３ｂと傾斜方向が同一となっている。このとき、傾斜面６０は、仕切り壁部５５の延び方向の先端に向かうにつれて上方へ向かう、上り勾配となっている。
【００３８】
そしてまた、図９で示されるように、この傾斜面６０は、仕切り壁部５５の２つの側面５５ａと丸みを帯びてなだらかに連続している。
このとき、上記したように、上板部３８、下板部３９、外側横壁部４０、内側横壁部４１、前板部４２はそれぞれ丸みを帯びてなだらかに連続している。そして、仕切り壁部５５が内側横壁部４１と同一面を形成して連続すると共に上板部３８、下板部３９と丸みを帯びてなだらかに連続している。このことから、内部空間３７を取り囲む取手部３５の内周面は、角部分のない丸みを帯びた形状となっている（図示せず）。
【００３９】
さらにまた、仕切り壁部５５の傾斜面６０の一部は、図１０に示されるように、本体部１０の高さ方向において、開口３６の上端である前上端縁部５０と下端である後下端縁部５１の間に位置している。そして、図１１に示されるように、本体部１０の前後方向において、開口３６の前端である前上端縁部５０と後端である後下端縁部５１の間に位置している。そのため、図１０で示されるように、本体部１０（筺体２）を背面側から見たときに開口３６の奥側（前方側）に傾斜面６０が位置することを視認可能であり、図１１に示されるように、本体部１０（筺体２）を上面側から見たときに開口３６の下方側に傾斜面６０が位置することを視認可能となっている。そして、本体部１０（筺体２）を斜め後ろ上方側からみた場合もまた、開口３６の奥側（前方側）に傾斜面６０が位置することを視認可能となっている（図示せず）。即ち、本体部１０（筺体２）の背面から上面に亘る部分をそれらの後方側からみた場合、いずれの方向からみても、取手部３５の内部空間３７に設けた仕切り部５５（仕切り部５５の傾斜面６０）を視認可能となっている。
【００４０】
また本体部１０には、図３で示されるように、２つの側壁形成部２０，２１の最下端及び裏面形成部２２の最下端と連続し、２つの側壁形成部２０，２１及び裏面形成部２２から本体部１０の内側へと突出した内側フランジ部６２が形成されている。内側フランジ部６２は、２つの側壁形成部２０，２１及び裏面形成部２２の内側面と略垂直に交わっており、略コ字状に延びている。
【００４１】
さらに本体部１０には、図３で示されるように、２つの側壁形成部２０，２１の内側面に前板掛止片６３が形成されている（側壁形成部２１側に設けられた前板掛止片については図示を省略する）。これらは、２つの側壁形成部２０，２１のいずれにおいても、複数設けられ、高さ方向に列をなすように配されている。前板掛止片６３は、水平方向の断面が略Ｌ字状であって高さ方向に延びる掛止片である。この前板掛止片６３は、側壁形成部２０（側壁形成部２１）の内側面との間に前方（本体部１０の正面側）が開放された隙間を形成しており、この隙間に薄板状の部材を挿入可能となっている。
【００４２】
また本体部１０の上側部分には、図４で示されるように、係合壁部６４が形成されている。具体的には、係合壁部６４は、側壁形成部２０，２１の一部である前方板部２０ａ，２１ａの上端面と天面形成部２３の最上面部２３ａから上方に突出し、略コ字状に延びる壁状の部分である。
【００４３】
次に、本実施形態の筺体２の組み立て構造について図１２乃至図１５を参照しつつ、詳細に説明する。
【００４４】
本実施形態の筺体２では、図１２で示されるように、本体部１０が底板部１２上に載置された状態となる。
このとき、本体部１０の下方端に位置する内側フランジ部６２が底板部１２の上面に載置された状態となる。このとき、内側フランジ部６２及び底板部１２の上面に形成された突起や貫通孔等によって本体部１０を底板部１２上に仮固定した状態において、ネジ８９によって本体部１０と底板部１２を固定する。このとき、ネジ８９の挿通方向は本体部１０の内側から外側へと向かう方向となっている。
【００４５】
そして筺体２では、図１３で示されるように、本体部１０の裏面形成部２２に裏板部材５が取り付けられ、本体部１０の上方に天板部１１が取り付けられる。
具体的に説明すると、裏板部材５は、長方形板状の本体部分５ａと、本体部分の縁部分を後方へ折り曲げて形成された周壁部分５ｂを備えている（図２参照）。そのため、裏板部材５の後方には４つの周壁部分５ｂに囲まれた皿状凹部が形成されている（図示せず）。この裏板部材５の皿状凹部を本体部１０の突出壁部２６（図３参照）に嵌め込んだ状態で仮固定し、ネジによって、裏板部材５を本体部１０に固定する（図１３参照）。
【００４６】
また、図１２，図１３で示されるように、天板部１１は本体部１０の側壁形成部２０，２１の一部である前方板部２０ａ，２１ａの上端面と天面形成部２３の最上面部２３ａ（図４参照）の上面に載置される。このとき、図１３で示されるように、天板部１１は長方形状の上面板部１１ａと、上面板部１１ａの下端面の縁部分から垂下されている４つの周壁部１１ｂを備えている（２つの周壁部は図示せず）。そして、本体部１０の係合壁部６４（図１２参照）が３つの周壁部１１ｂに内側から接触するように、天板部１１を本体部１０上に載置する。このとき、後方に位置する周壁部１１ｂには突起が形成されており（図示せず）、係合壁部６４に形成された凹部（図示せず）と係合している。このことにより、天板部１１が本体部１０に仮固定される。そして、天板部１１の上面板部１１ａと、本体部１０の天面形成部２３によって、筺体２の天面が形成される。したがって、筺体２の天面は、背面側に位置する後方部分が背面側に向かって下方へ向かう下り勾配となっている。
なおこのとき、図１３で示されるように、天板部１１にはその幅方向両端近傍であり前端部分にそれぞれ前板固定部６５が設けられている。この前板固定部６５は、下方に突出する外形が柱状の突起であり、突出方向の先端近傍には、前方から後方に向かって延びるネジ穴が形成されている。
【００４７】
またこのとき、図１３で示されるように、本体部１０に天板部１１、底板部１２、裏板部材５が取り付けられた状態では、前方が開放された箱体が形成される。即ち、本体部１０、天板部１１、底板部１２、裏板部材５で囲まれた内部空間と、この内部空間と外部とを接続する正面側開口７０が形成される。
そしてまた、本体部１０に前板掛止片６３が形成され、底板部１２に底板側前板掛止片６６が形成され、天板部１１に天板側前板掛止片６７が形成されている。これら前板掛止片６３、底板側前板掛止片６６、天板側前掛止片６７は、いずれも正面側開口７０より後方側に位置しており、前方側が開放された隙間を形成している。
【００４８】
そして本実施形態の筺体２では、図１４で示されるように、前記した正面側開口７０を塞ぐように、本体部１０、天板部１１、底板部１２の前端近傍に前板部材４が取り付けられた状態となっている。
前板部材４は、長方形板状の本体部分４ａと、本体部分の縁部分を後方へ折り曲げて形成された周壁部分４ｂを備えている（図２参照）。そしてこの周壁部分４ｂを、前板掛止片６３、底板側前板掛止片６６、天板側前掛止片６７（図１３参照）によって形成される隙間に挿入することにより、前板部材４を本体部１０、天板部１１、底板部１２に仮固定する。
【００４９】
そして、図１４で示されるように、前板部材４を天板部１１にネジ８９で固定する。そして、本体部１０と前板部材４をネジ９０（締結要素）で固定する。
具体的に説明すると、前板部材４には、本体部分４ａの上端近傍に複数の掛止部７１が形成されており、これらの掛止部７１は前板部材４の幅方向において列状に配されている。この掛止部７１は、前方から後方に向かってすり鉢状に窪んだ凹部であり、その中心部分に前板部材４を厚さ方向に貫通する貫通孔が形成されている。つまり、ネジ８９，９０を掛止部７１の貫通孔に挿通した状態で、前板部材４の後方に位置する天板部１１又は本体部１０に螺着させることにより、前板部材４を天板部１１に固定し、本体部１０と前板部材４を固定する。詳細には、ネジ８９，９０は、天板部の前板固定部６５に形成されるネジ穴と、本体部１０の取手部３５の延び方向先端部分に位置する前面係合部４７のネジ穴４７ｄと螺合する。
【００５０】
このとき、図１５で示されるように、取手部３５は天面形成部２３の傾斜部２３ｂに形成される開口３６から、筺体２の前方へ向かって延びている。そして、取手部３５の延び方向の先端に位置する前面係合部４７が、前板部材４に内側から当接している。そしてさらに、前板部材４の掛止部７１に形成された貫通孔と、前面形成部４７のネジ穴４７ｄが連続して１つの有底穴を形成する。
ここで、取手部３５は筺体２の本体部１０、天板部１１、底板部１２によって囲まれた内部空間の上方に位置している。つまり、本実施形態の取手部３５は、筺体２の内部に内蔵される温風発生手段８等の上部に位置しており、筺体２の内蔵物に干渉しない。そのことにより、凹部深さを深くして内部空間３７を大きくすることができる。
また、本実施形態の取手部３５は前板部材４と一体に取り付けられている。そのため、使用者が取手部３５に手を差し入れて筺体２を持ち運ぶとき、取手部３５に加わる力を取手部３５と前板部材４で分散可能となっている。
【００５１】
また、図１４、図１５で示されるように、前板部材４の下方には温風吹出口７３が設けられている。この温風吹出口７３は、前板部材４を厚さ方向に貫通する貫通孔であり、温風発生手段８から放出される温風の吹き出し口となる。
【００５２】
そして筺体２では、本体部１０及び天板部１１に固定された状態の前板部材４に対して、前面外装形成部６を構成するガラス製化粧板９５及びルーバー９６（図２参照）を直接又は取り付け部材を介して取り付けられた状態となっている。
また筺体２は、本体部１０のフィルター設置領域２７（図３，４参照）に、フィルター７（図２参照）が取り付けられた状態となっている。
以上で筺体２の組み立て構造についての説明を終了する。
【００５３】
上記した実施形態では、仕切り壁部５５と、２つの内側横壁部４１と、２つの内側横壁部４１の間に形成される隙間４５によって、取手部３５の内部空間３７を２つに分割したが、本発明はこのような構成に限るものではない。例えば、図１６に示されるように、外形が略直方体状であり、側方の一方が開放された箱体である取手部１００を形成し、内部空間１０１に設けた仕切り壁部１０２にのみよって、内部空間１０１を分割する構成であってもよい。また、取手部の内部空間は３つ以上に分割してもよく、仕切り壁部も複数設けてもよい。
【符号の説明】
【００５４】
１  温風暖房装置
２  筺体（外郭部材）
４  前板部材（前面部，前面構成部）
８  温風発生手段
１１  天板部（天面部）
２０  側壁形成部（左右側面部）
２１  側壁形成部（左右側面部）
２２  背面形成部（背面部）
２３  天面形成部（天面部）
２３ｂ  傾斜部
３５  取手部（取手用の凹部）
５０  前上端縁部(前端縁部)
５１  後下端縁部(後端縁部）
５５  仕切り壁部（仕切り壁）
６０  傾斜面
９０  ネジ（締結要素）
【図１】
0005720931.tif 000002
【図２】
0005720931.tif 000003
【図３】
0005720931.tif 000004
【図４】
0005720931.tif 000005
【図５】
0005720931.tif 000006
【図６】
0005720931.tif 000007
【図７】
0005720931.tif 000008
【図８】
0005720931.tif 000009
【図９】
0005720931.tif 000010
【図１０】
0005720931.tif 000011
【図１１】
0005720931.tif 000012
【図１２】
0005720931.tif 000013
【図１３】
0005720931.tif 000014
【図１４】
0005720931.tif 000015
【図１５】
0005720931.tif 000016
【図１６】
0005720931.tif 000017